(57)【要約】【課題】プライ材料の幅が変更されてもコード間隔調整治具を取り替える必要がなく、生産性の低下を招くことなく安定したプライ材料を経済的に製造することができるプライ材料の製造技術を提供する。【解決手段】プライ材料の製造においてスチールコードの間隔を調整するコード間隔調整機構であって、巻き出されたスチールコードを挿通して配列させるソーターとダイプレートとの間のソーター近傍に配置されたコード間隔調整治具と、コード間隔調整治具を回転させる回転手段を備え、コード間隔調整治具がソーターの幅と同じ幅サイズに形成され、ソーターの挿通部と同じ位置に区分け部が設けられており、回転手段がソーターとダイプレートとの間の所定の位置まで移動したコード間隔調整治具を幅方向の中心を支点として回転させることにより、スチールコードの進行方向に対するコード間隔調整治具の幅をダイプレートの幅に調整するコード間隔調整機構。【選択図】図２
2019059073.tif 000002
【特許請求の範囲】
【請求項１】
スチールコードにゴムが被覆されたプライ材料の製造において、前記スチールコードの配列におけるコード間隔を、ダイプレートの幅に対応して調整するコード間隔調整機構であって、
リールから巻き出されたスチールコードを挿通部に挿通して配列させるソーターとダイプレートとの間の前記ソーター近傍に配置されたコード間隔調整治具と、
前記コード間隔調整治具を回転させる回転手段を備えており、
前記コード間隔調整治具が前記ソーターの幅と同じ幅サイズに形成されていると共に、前記ソーターの挿通部と同じ位置に区分け部が設けられており、
前記回転手段が、前記ソーターと前記ダイプレートとの間の所定の位置まで移動した前記コード間隔調整治具を幅方向の中心を支点として回転させることにより、前記スチールコードの進行方向に対する前記コード間隔調整治具の幅を前記ダイプレートの幅に調整して、前記スチールコードの間隔を調整することを特徴とするコード間隔調整機構。
【請求項２】
スチールコードにゴムが被覆されたプライ材料の製造において、前記スチールコードの配列におけるコード間隔を、ダイプレートの幅に対応して調整するコード間隔調整機構であって、
リールから巻き出されたスチールコードを挿通部に挿通して配列させるソーターとダイプレートとの間の前記ソーター近傍に配置されたコード間隔調整治具を備えており、
前記コード間隔調整治具が前記ソーターの幅と同じ幅サイズに形成されていると共に、前記ソーターの挿通部と同じ位置に区分け部が設けられており、
さらに、幅方向に伸縮できるように構成されていることを特徴とするコード間隔調整機構。
【請求項３】
前記コード間隔調整治具がアコーディオン式に形成された区分け部を有しており、前記アコーディオン式に形成された区分け部の変形により、前記コード間隔調整治具の幅が伸縮するように構成されていることを特徴とする請求項２に記載のコード間隔調整機構。
【請求項４】
スチールコードにゴムが被覆されたプライ材料を製造するプライ材料製造装置であって、
リールから巻き出されたスチールコードを挿通部に挿通して配列させるソーターと、
前記スチールコードの配列体にゴムを被覆させるダイプレートとを備えており、
さらに前記ソーターと前記ダイプレートとの間に、請求項１ないし請求項３のいずれか１項に記載のコード間隔調整機構が設けられていることを特徴とするプライ材料製造装置。
【請求項５】
ブレーカーまたはベルトを製造するプライ材料製造装置であることを特徴とする請求項４に記載のプライ材料製造装置。
【請求項６】
請求項４または請求項５に記載のプライ材料製造装置を用いて、スチールコードにゴムを被覆してプライ材料を製造するプライ材料製造方法であって、
リールから巻き出された前記スチールコードをソーターの挿通部に挿通して配列させると共に、前記コード間隔調整治具の区分け部に、前記ソーターに挿通された前記スチールコードを挿通し、
次に前記コード間隔調整治具を前記ソーターと前記ダイプレートとの間の所定位置まで移動させた後、前記コード間隔調整治具を回転させ、または前記コード間隔調整治具の幅を縮小させて、前記スチールコードの進行方向に対する間隔をダイプレート幅に調整し、
次に、前記スチールコードの間隔が調整されたスチールコードの配列体を前記ダイプレートに送り込んでゴムを被覆することを特徴とするプライ材料製造方法。
【請求項７】
ブレーカーまたはベルトを製造することを特徴とする請求項６に記載のプライ材料製造方法。
【発明の詳細な説明】
【技術分野】
【０００１】
本発明は、ブレーカーやベルトなど、スチールコードにゴムがトッピング（被覆）されたプライ材料の製造に際して、スチールコードの配列におけるコード間隔を調整するために設けられたコード間隔調整機構、および、前記コード間隔調整機構を備えたプライ材料製造装置とプライ材料製造方法に関する。
【背景技術】
【０００２】
空気入りタイヤの製造に際しては、ブレーカーやベルトなど、スチールコード（以下、単に「コード」ともいう）にゴムがトッピングされたプライ材料が使用されている。そして、このようなプライ材料は、所定の間隔で配列されたコードの両面にゴムをトッピングすることにより製造されている（例えば、特許文献１）。
【０００３】
このとき、コードが均一に配列された状態でゴムがトッピングされていないとタイヤの性能を安定して発揮させることができないため、従来より、ゴム押出機のダイプレートでゴムをトッピングする前に、ダイプレートの幅に合わせてコード間隔を調整することが行われている。
【０００４】
具体的には、複数のリールから巻き出された各コードを、まず、ソーターの各挿通部に１本ずつ通過させる。これにより、各コードが重なり合うことを防止することができる。次に、ソーターを通過させた各コードをダイプレートの幅に対応する幅に形成された櫛状のコード間隔調整治具に設けられた各区分け部に１本ずつコードを通過させる。これにより、各コードが所定の間隔（エンズ）で略平行に配列されて、その後、ダイプレートまで送られてゴムがトッピングされる。
【０００５】
そして、製造されるプライ材料の幅が変更される際には、コード間隔調整治具をダイプレートの幅に対応する幅のコード間隔調整治具に取り替えていた。
【先行技術文献】
【特許文献】
【０００６】
【特許文献１】特開２０１４−２３７２６３号公報
【発明の概要】
【発明が解決しようとする課題】
【０００７】
しかしながら、プライ材料の幅に合わせた多くのコード間隔調整治具を準備することはコスト的に好ましいことでなく、また、プライ材料の製造時にも以下のような問題があった。
【０００８】
即ち、取り替えたコード間隔調整治具の区分け部に、ソーターを通過させた後のコードを１本ずつ通過させることは容易ではなく作業に時間が掛かるため、生産性の低下を招く恐れがあった。そして、１つの区分け部に間違えて２本のコードが入った場合には、コード配列が不均一なプライ材料が製造されてしまう。
【０００９】
このため、プライ材料の幅が変更されてもコード間隔調整治具を取り替える必要がなく、生産性の低下を招くことなく安定したプライ材料を経済的に製造することができるプライ材料の製造技術が求められていた。
【課題を解決するための手段】
【００１０】
本発明者は、鋭意検討を行い、以下に記載する発明により上記課題が解決できることを見出し、本発明を完成させるに至った。
【００１１】
請求項１に記載の発明は、
スチールコードにゴムが被覆されたプライ材料の製造において、前記スチールコードの配列におけるコード間隔を、ダイプレートの幅に対応して調整するコード間隔調整機構であって、
リールから巻き出されたスチールコードを挿通部に挿通して配列させるソーターとダイプレートとの間の前記ソーター近傍に配置されたコード間隔調整治具と、
前記コード間隔調整治具を回転させる回転手段を備えており、
前記コード間隔調整治具が前記ソーターの幅と同じ幅サイズに形成されていると共に、前記ソーターの挿通部と同じ位置に区分け部が設けられており、
前記回転手段が、前記ソーターと前記ダイプレートとの間の所定の位置まで移動した前記コード間隔調整治具を幅方向の中心を支点として回転させることにより、前記スチールコードの進行方向に対する前記コード間隔調整治具の幅を前記ダイプレートの幅に調整して、前記スチールコードの間隔を調整することを特徴とするコード間隔調整機構である。
【００１２】
請求項２に記載の発明は、
スチールコードにゴムが被覆されたプライ材料の製造において、前記スチールコードの配列におけるコード間隔を、ダイプレートの幅に対応して調整するコード間隔調整機構であって、
リールから巻き出されたスチールコードを挿通部に挿通して配列させるソーターとダイプレートとの間の前記ソーター近傍に配置されたコード間隔調整治具を備えており、
前記コード間隔調整治具が前記ソーターの幅と同じ幅サイズに形成されていると共に、前記ソーターの挿通部と同じ位置に区分け部が設けられており、
さらに、幅方向に伸縮できるように構成されていることを特徴とするコード間隔調整機構である。
【００１３】
請求項３に記載の発明は、
前記コード間隔調整治具がアコーディオン式に形成された区分け部を有しており、前記アコーディオン式に形成された区分け部の変形により、前記コード間隔調整治具の幅が伸縮するように構成されていることを特徴とする請求項２に記載のコード間隔調整機構である。
【００１４】
請求項４に記載の発明は、
スチールコードにゴムが被覆されたプライ材料を製造するプライ材料製造装置であって、
リールから巻き出されたスチールコードを挿通部に挿通して配列させるソーターと、
前記スチールコードの配列体にゴムを被覆させるダイプレートとを備えており、
さらに前記ソーターと前記ダイプレートとの間に、請求項１ないし請求項３のいずれか１項に記載のコード間隔調整機構が設けられていることを特徴とするプライ材料製造装置である。
【００１５】
請求項５に記載の発明は、
ブレーカーまたはベルトを製造するプライ材料製造装置であることを特徴とする請求項４に記載のプライ材料製造装置である。
【００１６】
請求項６に記載の発明は、
請求項４または請求項５に記載のプライ材料製造装置を用いて、スチールコードにゴムを被覆してプライ材料を製造するプライ材料製造方法であって、
リールから巻き出された前記スチールコードをソーターの挿通部に挿通して配列させると共に、前記コード間隔調整治具の区分け部に、前記ソーターに挿通された前記スチールコードを挿通し、
次に前記コード間隔調整治具を前記ソーターと前記ダイプレートとの間の所定位置まで移動させた後、前記コード間隔調整治具を回転させ、または前記コード間隔調整治具の幅を縮小させて、前記スチールコードの進行方向に対する間隔をダイプレート幅に調整し、
次に、前記スチールコードの間隔が調整されたスチールコードの配列体を前記ダイプレートに送り込んでゴムを被覆することを特徴とするプライ材料製造方法である。
【００１７】
請求項７に記載の発明は、
ブレーカーまたはベルトを製造することを特徴とする請求項６に記載のプライ材料製造方法である。
【発明の効果】
【００１８】
本発明によれば、プライ材料の幅が変更されてもコード間隔調整治具を取り替える必要がなく、生産性の低下を招くことなく安定したプライ材料を経済的に製造することができるプライ材料の製造技術を提供することができる。
【図面の簡単な説明】
【００１９】
【図１】本発明の第１の実施の形態に係るプライ材料製造装置を説明する図である。
【図２】本発明の第１の実施の形態に係るプライ材料製造装置を説明する図である。
【図３】本発明の第２の実施の形態に係るプライ材料製造装置を説明する図であって、（ａ）は装置全体を示す図、（ｂ）はコード進行方向から見たコード間隔調整治具の部分拡大図である。
【図４】本発明の第２の実施の形態に係るプライ材料製造装置を説明する図であって、（ａ）は装置全体を示す図、（ｂ）はコード進行方向から見たコード間隔調整治具の部分拡大図である。
【発明を実施するための形態】
【００２０】
以下、実施の形態に基づき、図面を用いて本発明を具体的に説明する。
【００２１】
１．第１の実施の形態
本実施の形態は、コード間隔調整治具を幅方向の中心を支点として回転させることにより、スチールコードの進行方向に対するコード間隔調整治具の幅をダイプレートの幅に調整して、スチールコードの間隔を調整するコード間隔調整機構が設けられたプライ材料製造装置である。
【００２２】
図１および図２は、本実施の形態に係るプライ材料製造装置を説明する図であり、図１はソーターに近接した位置にコード間隔調整治具を配置してコードを挿通させている状態を、図２はコード間隔調整治具を回転させてコードの間隔を調整している状態を示している。
【００２３】
（１）プライ材料製造装置
図１に示すように、本実施の形態に係るプライ材料製造装置は、ソーター３と、ダイプレート４と、コード間隔調整治具６とを備えており、コード間隔調整治具６はソーター３とダイプレート４との間でソーター３の近傍に配置されている。
【００２４】
ソーター３は、リール１から巻き出される複数本のコード（スチールコード）２の各々を、各々に対応するコード挿通部３ａに挿通させることにより整列させてコード２が重なり合うことを防止するために設けられており、ダイプレート４は所定の間隔でスチールコード２が配列されたコード配列体２Ａにゴムを被覆して、プライ材料Ｍを作製するために設けられている。
【００２５】
図１に示すように、リール１の各々にはコード２が巻き取られており、所定の間隔で配列されている。
【００２６】
ソーター３には、各リールに対応して、巻き出されたコード２が挿通されるコード挿通部３ａが設けられている。
【００２７】
ダイプレート４は、ゴム押出機本体（図示せず）の押出しヘッドに取り付けられている。なお、ゴム押出機本体は、ゴム投入口が設けられたシリンダー内にスクリュー軸を収納した周知の構造をなしており、スクリュー軸の回転駆動により、投入されたゴムを可塑化しながらダイプレート４に送り出し、コード配列体２Ａの両面にゴムを被覆する。
【００２８】
（２）コード間隔調整機構
次に、本実施の形態におけるコード間隔調整機構について説明する。コード間隔調整機構５は、図１に示すように、コード挿通部３ａに挿通された各コード２をダイプレート４へ送るために配列させるコード間隔調整治具６と、コード間隔調整治具６を回転させる回転手段を備えており、回転手段はソーター３とダイプレート４との間の所定の位置まで移動した後、コード間隔調整治具６を幅方向の中心を支点として回転させることにより、スチールコード２の進行方向に対するコード間隔調整治具６の幅をダイプレート４の幅に調整して、スチールコード２同士の間隔を調整する。
【００２９】
（ａ）コード間隔調整治具
コード間隔調整治具６はソーター３と同じ幅に形成されており、区分け部６ａがソーター３のコード挿通部３ａと対応する位置に等間隔（ｄ）に設けられている。ソーター３のコード挿通部３ａに挿通されたコード２を、この区分け部６ａに挿通させることにより、コード配列体２Ａが形成される。
【００３０】
このとき、コード間隔調整治具６は、ソーター３と同じ幅に形成されていると共に、ソーター３のコード挿通部３ａと対応する位置に区分け部６ａが設けられているため、コード２をソーター３のコード挿通部３ａに挿通させると同時に、区分け部６ａに容易に挿通させることができる。そして、１つの区分け部に間違えて２本のコードが入るようなことが発生しないため、コード配列が不均一なプライ材料が製造されることを防止することができる。
【００３１】
（ｂ）回転手段
回転手段は、コード間隔調整治具６によって配列されたコード配列体２Ａが、ダイプレート４に対して略平行に導入されるように、ダイプレート４の幅に合わせてコード間隔を調整するものであり、本実施の形態においては、図２に示すように、コード間隔調整治具６をソーター３とダイプレート４との間の所定の位置まで移動させた後、コード間隔調整治具６を幅方向の中心を支点としてコード２の進行方向に対して角度θで回転させることにより、スチールコード２の進行方向に対するコード間隔調整治具６の幅をダイプレート４の幅に調整して、スチールコード２同士の間隔を調整することができる。
【００３２】
このように、コード間隔調整治具６のスチールコードの進行方向に対する幅を調整することにより、プライ材料Ｍの幅が変更されてもコード間隔調整治具６を取り替えることなく、コード配列体２Ａの各コード２をダイプレート４に対して略平行に導入して、プライ材料Ｍを製造することができる。また、１つのコード間隔調整治具６で多種多様なプライ材料Ｍの製造が可能となるため、コスト的にも好ましい。
【００３３】
（３）コードプライの製造
本実施の形態におけるコードプライは、上記したコードプライの製造装置を用いて製造される。具体的には、まず、複数のリール１から巻き出された長尺のコード２をソーター３の各コード挿通部３ａを通過させた後、ソーター３に近接して位置するコード間隔調整治具６の各区分け部６ａに挿通させる。
【００３４】
このとき、上記したように、コード間隔調整治具６はソーター３と同じ幅に形成されているため、各コード２を各区分け部６ａに容易、かつ確実に挿通させることができる。
【００３５】
次に、各コード２が各区分け部６ａに挿通されたコード間隔調整治具６を、コード２の進行方向に沿って回転可能な位置まで移動させ、その後、回転手段によってコード間隔調整治具６を回転させて角度θで傾斜させることにより、コード間隔調整治具６、コード配列体２Ａの幅をダイプレート４の幅に合わせるようにコード間隔を調整する。
【００３６】
次に、コード間隔が調整されたコード配列体２Ａをダイプレート４に導入し、ゴムを被覆させてプライ材料Ｍを製造する。このとき、コード配列体２Ａの幅はダイプレート４の幅に合わされているため、各コード２をダイプレート４に向けて略平行に導入させることができ、コード配列が均一なプライ材料を安定して製造することができる。
【００３７】
２．第２の実施の形態
本実施の形態は、伸縮可能なコード間隔調整治具を用いて、コード間隔調整治具の幅をダイプレートの幅に調整して、スチールコードの間隔を調整するコード間隔調整機構が設けられたプライ材料製造装置である。
【００３８】
図３および図４は、本実施の形態に係るプライ材料製造装置を説明する図であり、図３はソーターに近接した位置にコード間隔調整治具を配置してコードを挿通させている状態を、図４はコード間隔調整治具を伸縮させてコードの間隔を調整している状態を示している。なお、各図において、（ａ）は装置全体を示す図、（ｂ）はコード進行方向から見たコード間隔調整治具の部分拡大図である。
【００３９】
本実施の形態において、コード間隔調整治具６は、図３（ｂ）に示すように、ピンで連結された複数組のリンク６ｂ及び平行に配置される仕切り体６ｃによって各区分け部６ａ（図３（ａ）参照）がアコーディオン式に形成されている。そして、本実施の形態においては、コード間隔調整治具６をソーター３とダイプレート４との間の所定の位置まで移動させた後、コード間隔調整治具６を両側から縮小させて、アコーディオン式に形成されている区分け部を変形させてコード間隔調整治具６の仕切り体６ｃの幅を変化させることにより、スチールコード２の進行方向に対するコード間隔調整治具６の幅をダイプレート４の幅に調整して、スチールコード２同士の間隔を調整することができる。
【００４０】
具体的には、まず、ソーター３へコード２を挿通させる際には、図３（ａ）に示すように、コード間隔調整治具６は、ソーター３と同じ幅まで伸長されており、図３（ｂ）に示すように、コード２を挿通させる間隔は十分に確保されている。このため、第１の実施の形態の場合と同様に、ソーター３のコード挿通部３ａに挿通させると同時に、区分け部６ａにコード２を容易に挿通させることができる。
【００４１】
次に、図４（ａ）に示すように、コード間隔調整治具６をソーター３とダイプレート４との間の所定の位置まで移動させた後、図４（ｂ）に示すように、コード間隔調整治具６の幅を縮小して区分け部６ａの間隔ｄを調整しコード配列体２Ａの幅をダイプレート４の幅に合わせるように調整する。
【００４２】
このため、プライ材料Ｍの幅が変更されてもコード間隔調整治具を取り替えることなく、コード配列体２Ａの各コード２をダイプレート４に対して略平行に導入して、プライ材料Ｍを製造することができる。
【００４３】
なお、上記した各実施の形態において、スチールコードとしては、従来と同様に、１×ｎ構成の単撚りスチールコード、ｋ＋ｍ構成の層撚りスチールコード（ｎは１〜２７の整数、ｋは１〜１０の整数、ｍは１〜８の整数など）、ａ＋ｂ＋ｃ構成の３層撚りスチールコード（ａは１〜３の整数、ｂは１〜９の整数、ｃは１〜１３の整数など）や、黄銅メッキ付高張力コードなどを使用することができる。
【００４４】
３．本実施の形態の効果
上記した第１の実施の形態、および第２の実施の形態を適用することにより、以下に示すような効果を得ることができる。
【００４５】
（１）本実施の形態においては、コードを挿通する際には、ソーターとコード間隔調整治具のサイズを同じにして、ソーターのコード挿通部と、コード間隔調整治具の区分け部が相対するように設けているため、１回の挿通でソーターとコード間隔調整治具に挿通させることができ、効率的であると共に、確実に１本ずつ挿通させることができる。
【００４６】
（２）そして、本実施の形態においては、コード配列体の幅を、コード間隔調整治具を取り替えることなく、ダイプレートの幅に容易に変更することができるため、異なるサイズのプライ材料の製造に際しても、コード間隔調整治具の取り替えの都度、コードを挿通し直すという手間が不要となる。
【００４７】
（３）以上の結果、プライ材料の変更に際して、コード間隔調整治具の取り替えに要する時間、および、取り替えられたコード間隔調整治具にコードを挿通させる時間を短縮することができるため、作業ロスの改善を図って、生産性の向上に貢献することができる。
【００４８】
（４）また、多種多様なコード間隔調整治具を必要としないため、コード間隔調整治具の製造コスト、保管コストの低減を図ることができる。
【実施例】
【００４９】
１．プライ材料の作製
上記した第１の実施の形態と同じ構成のプライ材料製造装置（実施例１）および第２の実施の形態と同じ構成のプライ材料製造装置（実施例２）を用いて、コード間隔調整治具を取り替えることなく、プライ材料としてブレーカーを製造した。
【００５０】
比較のために、従来のコード間隔調整治具の取り替え式のプライ材料製造装置を用いて、同様にブレーカーを製造した（比較例）。なお、この場合における、コード間隔調整治具の取り替え回数は９回／日であった（取り替えに要する時間：約１０分／回）。
【００５１】
２．評価項目
（１）作業ロスの改善
コード間隔調整治具を取り替えないことによる作業ロスの改善を評価した。
【００５２】
（２）工程通過性
製造した各ブレーカーについて、裁断した際の跳ね高さを測定し、コードへの癖付きを評価した。
【００５３】
３．評価結果
（１）作業ロスの改善
実施例１、２においては、いずれもコード間隔調整治具の取り替えが不要であったため、年間、５００時間以上の作業ロスの改善が図れることが確認できた。
【００５４】
（２）工程通過性
工程通過性については、実施例１、２のいずれも、比較例と同等の結果が得られており、コード間隔調整治具の取り替えをせずに製造を行っても、品質上、問題がないことが確認できた。
【００５５】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００５６】
１              リール
２              コード（スチールコード）
２Ａ            コード配列体
３              ソーター
３ａ            コード挿通部
４              ダイプレート
５              コード間隔調整機構
６              コード間隔調整治具
６ａ            区分け部
６ｂ            リンク
６ｃ            仕切り体
ｄ              区分け部の間隔
Ｍ              プライ材料
θ              コード間隔調整治具の傾斜角度
【図１】
2019059073.tif 000003
【図２】
2019059073.tif 000004
【図３】
2019059073.tif 000005
【図４】
2019059073.tif 000006